(57)【要約】      （修正有）【課題】ランプ本体（ランプを収容する）と蓋枠（ランプ本体の前面開口を閉塞する）とをねじ杆で互いに組付ける形式の自動車用ランプにストーンガードを取付けるに好適な装置を提供する。【解決手段】ランプを収容する、前面開口容器形状のランプ本体１の前面にねじ穴４を設け、このねじ穴４に、前記開口１´を閉塞する蓋枠２に設けた透孔５を通じてねじ杆３の先端を螺合して、前記ランプ本体１と蓋枠２を組付けて自動車用ランプを構成する。そして、前記蓋枠２の前面に重ね合わせるストーンガード８に組付け部片８ｃを設け、該組付け部片８ｃに設けた取付け孔９と前記透孔５を順次通じて前記ねじ杆３の先端を前記ねじ穴４に螺合する。【選択図】図３
2008053036.tif 000002
【特許請求の範囲】
【請求項１】
ランプを収容する、前面開口容器形状のランプ本体の前面にねじ穴を設け、このねじ穴に、前記開口を閉塞する蓋枠に設けた透孔を通じてねじ杆の先端を螺合して、前記ランプ本体と蓋枠を組付けて構成する自動車用ランプにおいて、前記蓋枠の前面に重ね合わせるストーンガードに組付け部片を設け、該組付け部片に設けた取付け孔と前記透孔を順次通じて前記ねじ杆の先端を前記ねじ穴に螺合した、ストーンガードの組付け装置。
【請求項２】
組付け部片に、ねじ杆のねじ穴に対する螺合方向に沿う部片を突設し、該部片に設けた受止孔に係止する係止部片を蓋枠に設けた、請求項１記載のストーンガードの組付け装置。
【発明の詳細な説明】
【技術分野】
【０００１】
ストップテールランプ等の自動車用ランプ（の蓋枠）を走行中に飛散する小石等から守るために、その前面に所謂ストーンガードを配設することは一般に行われているが、本発明は、このストーンガードを自動車用ランプに取付けるための装置に関するもので、ランプを収容する、前面開口容器形状のランプ本体の前面に設けたねじ穴に、前記開口を閉塞する蓋枠に設けた透孔を通じてねじ杆を螺合して構成する自動車用ランプに適用するものである。
【背景技術】
【０００２】
ランプ本体と、該ランプ本体の開口前面を塞ぐ蓋枠をねじ杆で互いに組付けて構成する自動車用ランプは具体例を挙げるまでもなく公知であるが、この種の自動車用ランプに対してストーンガードを組付けるようにした構造のものはなく、ランプ本体の前面の一端にストーンガードの一端を回動自在に枢支させ、ストーンガードの他の一端をクランパーで前記ランプ本体に締付けるようにした構造のものが公知例として存在している（例えば、特許文献１）。
【０００３】
【特許文献１】実開平５−２７９０２号公報
【発明の開示】
【発明が解決しようとする課題】
【０００４】
前記従来のストーンガードの取付け装置は、ランプ本体と蓋枠とをねじ杆で互いに組付ける構造の、前記自動車用ランプに適用するには、技術的に困難ではないが、ランプ本体に蓋枠の枢支部を設けたり、別途用意したクランプを取付けたりする必要があり、何よりもストーンガードが損傷を受けたりすると、その取替えが煩雑な構造になっている。
【０００５】
本発明は、ランプ本体（ランプを収容する）と蓋枠（ランプ本体の前面開口を閉塞する）とをねじ杆で互いに組付ける形式の自動車用ランプにストーンガードを取付けるに好適な装置を提供することを目的として創案したものである。
【課題を解決するための手段】
【０００６】
ランプを収容する、前面開口容器形状のランプ本体の前面にねじ穴を設け、このねじ穴に、前記開口を閉塞する蓋枠に設けた透孔を通じてねじ杆の先端を螺合して、前記ランプ本体と蓋枠を組付けて構成する自動車用ランプにおいて、前記蓋枠の前面に重ね合わせるストーンガードに組付け部片を設け、該組付け部片に設けた取付け孔と前記透孔を順次通じて前記ねじ杆の先端を前記ねじ穴に螺合したことを基本的手段とし、この基本的手段に組付け部片に、ねじ杆のねじ穴に対する螺合方向に沿う部片を突設し、該部片に設けた受止孔に係止する係止部片を蓋枠に設けた点を付加することにより、ストーンガードと蓋枠を一体的に組付けた状態にして、ランプ取替え時などに、ストーンガードと蓋枠を分離しなくて済み、両者の再度の組合わせを必要としないからその操作を簡便に行うことを期待できる。
【発明の効果】
【０００７】
本発明によれば、ねじ杆によるランプ本体と蓋枠との止着手段を、そのまま利用してストーンガードを組付けることができるから、安価なストーンガード付の自動車用ランプを提供でき、また、ねじ杆を操作するだけでストーンガードの組付け、取外しを行えるので、ストーンガードが損傷を受けたときの取替え作業を簡単に行うことができる。
【実施例】
【０００８】
図面は、本発明に係る自動車用ランプのストーンガード取付け装置の一実施例を示し、図１は正面図、図２は側面図、図３は図１ａ−ａ線拡大断面図、図４は蓋枠の正面図、図５は図４ｂ−ｂ線断面図、図６はストーンガードの一部欠截正面図、図７は図６の側面図、図８は図６の底面図である。
【０００９】
本発明を適用する自動車用ランプＡは、図示省略したランプを収容するランプ本体１の開口前面を蓋枠２で閉塞するようにし、該蓋枠２をねじ杆３で前記ランプ本体１に組付け、全体として方形箱状体で成るものである。
【００１０】
ランプ本体１は、前面開口の容器（箱）形状体で成り、ランプを取替えるための開口１´端を成す正面視方形リング状輪郭形の前端面１ａの４隅（隅角部）に前記ねじ杆３の先端をそれぞれ螺合するねじ穴４，４，４，４を設けたものである。
【００１１】
前記蓋枠２は、このランプ本体１の、前記前端面１ａの輪郭形と一致する方形盤体で成り、その前面の４隅に段差状にして一段低くした、切欠状の係合部７を設け、該係合部７を構成する、蓋枠２の隅部片１７に前記ねじ穴４と対応する透孔５を設け、該透孔５を通じさせた、前記ねじ杆３の先端を前記ねじ穴４に螺合することにより前記蓋枠２はランプ本体１に組付けられるようにしてあり、また、実施例の蓋枠２は、合成樹脂で形成したレンズ体で成り、ランプ本体１に収設したランプの光を該レンズ体（蓋枠２）を通して外部を照射、拡散するようにしてある。
【００１２】
実施例のストーンガード８は、ランプ本体１と蓋枠２を互いに組付ける前記ねじ杆３を利用してランプ本体１乃至蓋枠２に組付けるものであって、蓋枠２の前方に重ね合わせて配するガードロッド８ａ（棒杆体）の両端に傾斜状の脚部片８ｂ，８ｂの先端を連続させた枠形状と成し、脚部片８ｂの基端に設けた組付け部片８ｃ，８ｃに取付け孔９を設け、ガードロッド８ａの軸線方向両側に位置する前記組付け部片８ｃ，８ｃを蓋枠２の相隣接する前記係合部７に係合させて隅部片１７に重ね合わせ、取付け孔９を通じて前記透孔５を介してねじ杆３の先端を前記ねじ穴４に螺合して締付け、ランプ本体１に止着して、一対のものを相対称的に配したものである。
【００１３】
ストーンガード８は、また、その組付け部片８ｃの基端縁（蓋枠２と接する側の片面）に相対して、しかも、前記ねじ杆３の前記ねじ穴４の螺合方向に（前記取付け孔９の軸線に）沿わせて突設した部片８ｃ´を備え、該部片８ｃ´が係合する切欠１１を蓋枠２の前記隅部片１７の一側に設けると共に、この切欠１１に突設した係止部片１２が係止する受止孔１３を前記部片８ｃ´に設けてある。すなわち、ストーンガード８は、一対の組付け部片８ｃ，８ｃを蓋枠２の対応する前記隅部片１７に重ね合わせて蓋枠２方向に移動させたとき、組付け部片８ｃの部片８ｃ´，８ｃ´間に蓋枠２の一側が介在する組合わせ関係となるため、部片８ｃ奪取を蓋枠２側の係止部片１２に圧接させて弾性変形させ、該部片８ｃ´の受止孔１３が係止部片１２に係合して蓋枠２に一体的に組付けられ、ねじ杆３によるランプ本体１に対する組付け（止着）について蓋枠２と一体的にして取扱うことができるものである。
【図面の簡単な説明】
【００１４】
【図１】正面図。
【図２】側面図。
【図３】図１ａ−ａ線拡大断面図。
【図４】蓋枠の正面図。
【図５】図４ｂ−ｂ線断面図。
【図６】ストーンガードの一部欠截正面図。
【図７】図６の側面図。
【図８】図６の底面図。
【符号の説明】
【００１５】
１      ランプ本体
２      蓋枠
３      ねじ杆
４      ねじ穴
５      透孔
８      ストーンガード
８ｃ    組付け部片
９      取付け孔
【図１】
2008053036.tif 000003
【図２】
2008053036.tif 000004
【図３】
2008053036.tif 000005
【図４】
2008053036.tif 000006
【図５】
2008053036.tif 000007
【図６】
2008053036.tif 000008
【図７】
2008053036.tif 000009
【図８】
2008053036.tif 000010